(57)【特許請求の範囲】
【請求項１】
複数の制御棒（４４）、複数の十字形状の制御棒ガイドチューブ（４６）及び下部タイプレート（９４）を有する複数の燃料バンドル（３６）を備える原子炉用の炉心プレートアセンブリ（５０）であって、
平板（５８）と、
その上に前記平板が設置される複数の支持梁（６０）と、
各々が、制御棒ガイドチューブを受け入れる大きさに設定され、互い違いの列に配列されている複数の制御棒ガイドチューブ開口部（６２）と、
前記平板を貫通して延びる複数の燃料支持体（９８）と、
を含み、
前記ガイドチューブ開口部（６２）は、十字形状をしており、互いに直角に中心部分（７２）から放射状に延び、４つの燃料バンドル収容領域（７４）を形成する４つのスロット（６２、６６、６８、７０）を含み、
該燃料支持体の各々は、冷却媒体流入口（１００）と、前記燃料バンドルの前記下部タイプレートを受け入れる大きさに設定された冷却媒体流出口（１０２）と、前記冷却媒体流入口と前記冷却媒体流出口との間に延びる冷却媒体流ボア（１０４）と、を含み、
前記冷却媒体流入口（１００）は、前記支持梁（６０）に隣接して配置され、前記冷却媒体流出口（１０２）は、燃料バンドル収容領域（７４）内に配置され、
前記冷却媒体流入口は、該冷却媒体流入口の中心線（１０６）が前記冷却媒体流出口の中心線（１０８）と平行になるように、前記冷却媒体流出口からオフセットしている、
ことを特徴とする、炉心プレートアセンブリ。
【請求項２】
前記冷却媒体流入口（１００）の各々は、オリフィス板（１１０）を含むことを特徴とする、請求項１に記載の炉心プレートアセンブリ（５０）。
【請求項３】
前記燃料バンドル収容領域（７４）の各々は、４つの燃料支持体（９８）を含むことを特徴とする、請求項１に記載の炉心プレートアセンブリ（５０）。
【請求項４】
前記燃料バンドル収容領域（７４）の各々は、１つの燃料支持体（１１４）を含むことを特徴とする、請求項１に記載の炉心プレートアセンブリ（５０）。
【請求項５】
複数の制御棒（４４）、複数の十字形状の制御棒ガイドチューブ（４６）及び下部タイプレート（９４）を有する複数の燃料バンドル（３６）を備える原子炉用の炉心プレートアセンブリ（５０）であって、
平板（５８）と、
その上に前記平板が設置される複数の支持梁（６０）と、
各々が、制御棒ガイドチューブを受け入れる大きさに設定され、互い違いの列に配列されている複数の制御棒ガイドチューブ開口部（６２）と、
前記平板を貫通して延びる複数の燃料支持体（９８）と、
を含み、
前記ガイドチューブ開口部（６２）は、十字形状をしており、互いに直角に中心部分（７２）から放射状に延び、４つの燃料バンドル収容領域（７４）を形成する４つのスロット（６２、６６、６８、７０）を含み、
各燃料支持体（１１４）は、４つの冷却媒体流入口（１２４）と、前記燃料バンドル（３６）の前記下部タイプレート（９４）を受け入れる大きさに設定された４つの冷却媒体流出口（１２６）と、その各々が、対応する冷却媒体流入口と対応する冷却媒体流出口との間に延びている４つの冷却媒体流ボア（１２８）と、をさらに含み、
前記冷却媒体流入口は、該冷却媒体流入口の中心線（１３０）が前記対応する冷却媒体流出口の中心線（１３２）と平行になるように、前記対応する冷却媒体流出口からオフセットし、前記冷却媒体流入口は支持梁（１１８）に隣接して配置され、前記冷却媒体流出口は燃料バンドル収容領域（１２２）内に配置される、
ことを特徴とする、炉心プレートアセンブリ（５０）。
【請求項６】
前記燃料バンドル収容領域（１２２）の各々は、１つの燃料支持体（１１４）を含むことを特徴とする、請求項５に記載の炉心プレートアセンブリ（５０）。
【請求項７】
原子炉用の炉心（２２）であって、
その各々が下部タイプレート（９４）を備える複数の燃料バンドル（３６）と、
複数の十字形状の制御棒（４４）と、
複数の十字形状の制御棒ガイドチューブ（４６）と、炉心プレートアセンブリ（５０）と、
を含み、
該記炉心プレートアセンブリは、平板（５８）と、その上に前記平板が設置される複数の支持梁（６０）と、その各々が、制御棒ガイドチューブを受け入れる大きさに設定され、互い違いの列に配列されている複数の制御棒ガイドチューブ開口部（６２）と、前記平板を貫通して延びる複数の燃料支持体（９８）と、を含み、
前記ガイドチューブ開口部（６２）は、十字形状をしており、互いに直角に中心部分（７２）から放射状に延び、４つの燃料バンドル収容領域（７４）を形成する４つのスロット（６２、６６、６８、７０）を含み、
該燃料支持体の各々は、冷却媒体流入口（１００）と、前記燃料バンドルの前記下部タイプレートを受け入れる大きさに設定された冷却媒体流出口（１０２）と、前記冷却媒体流入口と前記冷却媒体流出口との間に延びる冷却媒体流ボア（１０４）と、を含み、
前記冷却媒体流入口（１００）は、前記支持梁（６０）に隣接して配置され、前記冷却媒体流出口（１０２）は、前記燃料バンドル収容領域（７４）内に配置され、
前記冷却媒体流入口は、該冷却媒体流入口の中心線（１０６）が前記冷却媒体流出口の中心線（１０８）と平行になるように、前記冷却媒体流出口からオフセットしている、ことを特徴とする、炉心（２２）。
【請求項８】
前記冷却媒体流入口（１００）の各々は、オリフィス板（１１０）を含むことを特徴とする、請求項７に記載の炉心（２２）。
【請求項９】
前記燃料バンドル収容領域（７４）の各々は、４つの燃料支持体（９８）を含むことを特徴とする、請求項７に記載の炉心（２２）。
【請求項１０】
前記燃料バンドル収容領域（７４）の各々は、１つの燃料支持体（１１４）を含むことを特徴とする、請求項７に記載の炉心（２２）。
【請求項１１】
原子炉用の炉心（２２）であって、
その各々が下部タイプレート（９４）を備える複数の燃料バンドル（３６）と、
複数の十字形状の制御棒（４４）と、
複数の十字形状の制御棒ガイドチューブ（４６）と、炉心プレートアセンブリ（５０）と、
を含み、
該記炉心プレートアセンブリは、平板（５８）と、その上に前記平板が設置される複数の支持梁（６０）と、その各々が、制御棒ガイドチューブを受け入れる大きさに設定され、互い違いの列に配列されている複数の制御棒ガイドチューブ開口部（６２）と、前記平板を貫通して延びる複数の燃料支持体（９８）と、を含み、
前記ガイドチューブ開口部（６２）は、十字形状をしており、互いに直角に中心部分（７２）から放射状に延び、４つの燃料バンドル収容領域（７４）を形成する４つのスロット（６２、６６、６８、７０）を含み、
各燃料支持体（１１４）は、４つの冷却媒体流入口（１２４）と、前記燃料バンドル（３６）の前記下部タイプレート（９４）を受け入れる大きさに設定された４つの冷却媒体流出口（１２６）と、その各々が、対応する冷却媒体流入口と対応する冷却媒体流出口との間に延びている４つの冷却媒体流ボア（１２８）と、をさらに含み、
前記冷却媒体流入口は、該冷却媒体流入口の中心線（１３０）が前記対応する冷却媒体流出口の中心線（１３２）と平行になるように、前記対応する冷却媒体流出口からオフセットし、前記冷却媒体流入口は支持梁（１１８）に隣接して配置され、前記冷却媒体流出口は燃料バンドル収容領域（１２２）内に配置される、ことを特徴とする、炉心（２２）。
【請求項１２】
前記燃料バンドル収容領域（１２２）の各々は、１つの燃料支持体（７６）を含むことを特徴とする、請求項１１に記載の炉心（２２）。
【発明の詳細な説明】
【０００１】
【発明の属する技術分野】
本発明は、一般的に原子炉に関し、より具体的には、原子炉のＦ−格子炉心用の炉心支持体に関する。
【０００２】
【従来技術】
既知の沸騰水型原子炉（ＢＷＲ）の原子炉圧力容器（ＲＰＶ）は、ほぼ円筒形の形状であり、例えば底部ヘッド及び取り外し可能な上部ヘッドにより両端を閉じられている。上部ガイドは、ＲＰＶ内部の炉心プレートの上方に間隔を置いて配置されている。炉心シュラウド又はシュラウドは、炉心プレートを取り囲み、シュラウド支持構造体により支持される。具体的には、シュラウドはほぼ円筒形の形状であり、炉心プレート及び上部ガイドの両方を取り囲んでいる。上部ガイドはいくつかの開口部を備え、燃料バンドルはその開口部を通して挿入され、炉心プレートにより支持される。炉心プレートは、複数の梁により支持される平板を備える。
【０００３】
制御棒駆動装置組立体のような構成要素が、ＲＰＶ内部に延びることができるように、複数の開口部が底部ヘッドドームに形成される。一例を挙げれば、制御棒駆動装置組立体の場合、制御棒駆動装置ハウジング、例えばチューブが、底部ヘッドドーム開口部を貫通して挿入され、また制御棒駆動装置がその制御棒駆動装置ハウジングを通して挿入される。制御棒駆動装置は、制御棒に結合されて炉心の内部に制御棒を位置決めする。
【０００４】
原子炉炉心は、炉心の運転計画に影響を及ぼす異なる特性を有する個別の燃料組立体を含む。例えば、原子炉炉心は、多くの、例えば数百本の異なる特性を有する個別の燃料バンドルを有する。かかるバンドルは、燃料バンドルの間の相互作用が、政府及び顧客指定の制約条件を含む全ての規制及び原子炉設計上の制約条件を満たすように、原子炉炉心の内部に配置されるのが好ましい。設計上の制約条件を満たすことに加えて、炉心装填配列が、サイクルエネルギー、つまり、炉心が新しい燃料要素に取り替えられることが必要となる前に原子炉炉心が発生するエネルギーの量を決定するので、炉心装填配列は炉心サイクルエネルギーを最適化するようにされることが好ましい。
【０００５】
要求されるエネルギー出力を供給するために、原子炉炉心は新たな燃料バンドルと定期的に交換される。炉心サイクルエネルギーを最適化するために、より高い反応度のバンドルを内方の炉心位置に配置する場合がある。しかしながら、一部の設計上の制約条件を満たすために、より高い反応度のバンドルは一般的に外方の炉心位置に配置される。最も枯渇したバンドル、つまり、残存エネルギーの含量が最も少ないバンドルは、原子炉から除去される。燃料交換の間隔は、運転サイクルと呼ばれる。
【０００６】
運転サイクルの過程の間、炉心のエネルギー容量を規定する過剰反応度は、２つの方法で制御される。具体的に言えば、可燃性毒物、例えば、ガドリニアが新しい燃料に混ぜ合わされる。最初に混合される可燃性毒物の量は、一般に公益事業及び原子力規制委員会（ＮＲＣ）により設定される設計上の制約条件により決定される。可燃性毒物は、過剰反応度の全てではないが大部分を制御する。
【０００７】
制御棒もまた、過剰反応度を制御する。特に、原子炉炉心は、安全な停止を保証し、かつ最大出力ピーキング係数を制御するための主要な機構を提供する制御棒を含む。利用できる制御棒の総数は、炉心の大きさや形状寸法によって異なるが、一般的に５０本から２６９本の間である。制御棒の位置、つまり、完全に挿入されるか、完全に引き出されるか、または中間のどの位置にするかは、過剰反応度を制御し、最大炉心出力ピーキング係数のような他の運転制約条件を満たす必要性に基づく。
【０００８】
１つの既知の制御棒は、４つの放射方向に延びるブレードを有する中心部分を含む。ブレードは４つの燃料バンドルチャンネルを形成し、制御棒を炉心に挿入する場合には、制御棒は、１つの燃料バンドルが各チャンネル内に配置されるように、位置決めされる。従って、例えば、おおよそ１００本の制御棒が４００本の燃料バンドルを有する原子炉中に含まれる。
【０００９】
効率的な運転に必要な制御棒の数を減少させるために、原子炉の炉心は複数の燃料バンドル及び複数の大型制御棒を備える。各大型制御棒は、通常の制御棒の約２倍の幅であり、中心部分から放射状に延び互いに直角に配置された４つの制御棒ブレードを備える。ブレードは、４つのバンドル収容チャンネルを形成する。炉心は、各収容チャンネル中に４つの燃料バンドルを備える、複数の互い違いの列に制御棒が配列されるように構成されている。この構成を、Ｆ−格子構成と呼ぶ。
【００１０】
このＦ−格子構成においては、燃料セルは、１つの大型制御棒及び１６本の燃料バンドルにより形成される。制御棒の４つのブレードは、燃料セルを４つの等しい四分区画に分割する。燃料バンドルは、燃料セルの各四分区画中に４つの燃料バンドルが存在するように、制御棒の周りに配置される。炉心は複数の燃料セルから形成される。互い違いの列に配列された大型制御棒を有するＦ−格子構成において、燃料セルの各端縁は、制御棒のブレードに隣接しかつそれとほぼ平行である。
【００１１】
Ｆ−格子構成における大型制御棒は、制御棒の大きさ及び棒の互い違いの配列のため、炉心プレートの平板及び梁による支持の設計概念を複雑にする。互い違いの棒のパターンは、支持梁に対して隙間を全く与えない。
【００１２】
標準寸法のＢＷＲ燃料組立体に入る通常の冷却媒体の流れは、単相であり僅かにサブクールされている。流れは、垂直方向に上方に向かって燃料支持体に接近し、次いでその流れは燃料支持体への入口に入りながら水平方向に方向を変える。次いで、流れは、必要な圧力降下を与えるオリフィスを通過し、低出力及び高出力燃料バンドルへの適正な冷却媒体分配を確保する。次いで、流れは再び垂直方向に方向を変え、燃料組立体の下部タイプレートに入り、個々の燃料ピンの周りに分配される。
【００１３】
Ｆ−格子構成については、流れは燃料への入口に垂直方向に接近するが、入口の約半分については炉心プレートの支持梁を直接通過して流れなければならない。この支持梁は冷却媒体の流れを妨害し、流れの分流及び双安定流を発生させる。これらの異常な流れ特性は、入口及び燃料組立体内部の両方での流れパターンに影響する可能性がある。
【００１４】
【発明が解決しようとする課題】
全ての燃料組立体に対して同一の流入条件をもたらすＦ−格子構成用の炉心支持装置が提供されることが望ましい。
【００１５】
【課題を解決するための手段】
例示的な実施形態において、原子炉用の炉心プレートアセンブリは、複数の支持梁、その支持梁の上に設置された平板、互い違いの列に配列されている複数の制御棒ガイド開口部、及び平板を貫通して延びる複数の燃料支持体を備える。
【００１６】
ガイドチューブ開口部は十字形状をしており、互いに直角に中心部分から放射状に延びる４つのスロットを備える。スロットは、４つの燃料バンドル収容領域を形成する。各ガイドチューブ開口部は、制御棒ガイドチューブを受け入れる大きさに設定される。
【００１７】
各燃料支持体は、冷却媒体流入口、燃料バンドルの下部タイプレートを受け入れる大きさに設定された冷却媒体流出口、及び冷却媒体流入口と冷却媒体流出口との間に延びている冷却媒体流ボアを備える。冷却媒体流入口は、冷却媒体流入口の中心線が冷却媒体流出口の中心線と平行になるように、冷却媒体流出口からオフセットしている。冷却媒体入口の各々はオリフィス板を備える。冷却媒体流入口は、支持梁に隣接して配置され、冷却媒体出口は燃料バンドル収容領域内に配置される。燃料バンドル収容領域の各々は、４つの支持体を備え４つの燃料バンドルを支持する。
【００１８】
上述の炉心プレートアセンブリは、妨害されていない冷却媒体流入口を備え、従って全ての燃料組立体に対して同一の流入条件をもたらす。
【００１９】
【発明の実施の形態】
図１は、沸騰水型原子炉圧力容器（ＲＰＶ）１０の部分破断断面図である。ＲＰＶ１０はほぼ円筒形の形状を有し、１端で底部ヘッド１２により、またその他端で取り外し可能な上部ヘッド１４により閉じられる。側壁１６が底部ヘッド１２から上部ヘッド１４まで延びる。円筒形形状の炉心シュラウド２０は、原子炉炉心２２を取り囲む。シュラウド２０は１端でシュラウド支持体２４により支持されて、他端に取り外し可能なシュラウドヘッド２６を備える。環状空間２８がシュラウド２０及び側壁１６の間に形成される。
【００２０】
核分裂性物質の燃料バンドル３６を含む炉心２２の内部で、熱が発生される。炉心２２を通して循環して上ってくる水が、少なくとも部分的に水蒸気に変換される。気水分離器３８が、循環される水から蒸気を分離する。残留水が、蒸気乾燥器４０により蒸気から除去される。蒸気は、容器上部ヘッド１４の近傍の蒸気出口４２を通してＲＰＶ１０を出る。
【００２１】
炉心２２で発生される熱量は、例えば、ハフニウムのような中性子吸収物質の制御棒４４を挿入したり引き出したりすることにより調節される。制御棒４４が燃料バンドル３６中に挿入される程度に応じて、制御棒４４は、さもなければ炉心２２に熱を発生させる連鎖反応を促進するのに利用されるはずの中性子を吸収する。制御棒ガイドチューブ４６が、挿入及び引き出しの間の制御棒４４の垂直方向の動きを維持する。制御棒駆動装置４８が、制御棒４４の挿入及び引き出しを行なう。制御棒駆動装置４８は底部ヘッド１２を貫通して延びる。
【００２２】
燃料バンドル３６は、炉心２２の基部に設置された炉心プレートアセンブリ５０により位置合わせされる。上部ガイド５２は、燃料バンドル３６が炉心２２中に下げられるとき、それらを位置合わせする。炉心プレート５０及び上部ガイド５２は、炉心シュラウド２０により支持される。燃料バンドル３６はほぼ正方形の断面を有する。別の実施形態において、燃料バンドルは、断面が長方形または他の多角形にすることができる。
【００２３】
図２は、原子炉圧力容器１０の炉心２２のＦ−格子構成の上面概要図である。実質的に標準寸法の燃料バンドル及び大型制御棒４４が、炉心２２内で使用される。各大型制御棒４４は、１６本の通常寸法の燃料バンドル３６に対して毒物制御を行える大きさに設定されている。通常寸法の燃料組立体３６及び大型制御棒４４は、制御棒駆動装置及び制御棒の数の最小化を容易にできるように、Ｆ−格子構成５４に配列される。Ｆ−格子構成５４は、互い違いの列５６になっている大型制御棒４４を有し、１６本の通常の燃料バンドル３６が各大型制御棒４４を取り囲んでいる。
【００２４】
図３はＦ−格子炉心構成５４のための炉心プレートアセンブリ５０の上面概要図であり、図４は炉心プレートアセンブリ５０の概略上面断面図である。図３及び図４を参照すれば、炉心プレートアセンブリ５０は、複数の支持梁６０により支持された平板５８を備える。平板５８は、十字形状の制御棒ガイドチューブ４６を受け入れる大きさに設定された、複数の制御棒ガイドチューブ開口部６２を備える。各ガイドチューブ開口部６２は十字形状をしており、互いに直角に中心部分７２から放射方向に延びるスロット６４、６６、６８及び７０を備える。スロット６４、６６、６８及び７０は、４つの燃料バンドル収容領域７４を形成する。炉心プレートアセンブリ５０はまた、各燃料バンドル収容領域７４に配置された、４つの燃料バンドル支持体７６を備える。各燃料バンドル支持体７６は、平板５８を貫通して延び、冷却媒体流出口７８を備える。
【００２５】
図５は、炉心プレート８２を貫通して延びる、既知の燃料バンドル支持体８０の断面側面図である。燃料支持体８０は、冷却媒体流入口８４及び冷却媒体流出口８６を備える。ボア８８は、入口８４から出口８６に延びる。オリフィス板９０は、ボア８８内部に設置される。冷却媒体は、流れ入口８４に流入し、ボア８８及び流出口８６を通って、燃料バンドル３６に流入する。冷却媒体流入口８４及び冷却媒体流出口８６は同軸であり、中心線９２は入口８４及び出口８６の両方の中心を通る。冷却媒体流出口８６は、燃料バンドル３６の下部タイプレート９４を受け入れるように構成されている。
【００２６】
Ｆ−格子炉心構成５４の幾何学形状のため、炉心プレート支持梁９６は、炉心プレート８２上に設置された燃料バンドル支持体８０の約５０％の冷却媒体流入口８４を妨害する。支持梁９６により生じる流入口８４の妨害は、流れの分流及び双安定流を発生させる可能性があり、これらが冷却媒体流入口８４及び燃料バンドル３６内部の両方での冷却媒体流パターンに影響する可能性がある。
【００２７】
図６は、本発明の実施形態による燃料バンドル支持体９８の断面側面図であり、支持体９８は炉心プレートアセンブリ５０の平板５８を貫通して延びている。燃料支持体９８は、冷却媒体流入口１００と、燃料バンドル３６の下部タイプレート９４を受け入れる大きさに設定された冷却媒体流出口１０２とを備える。冷却媒体流ボア１０４は、冷却媒体流入口１００と冷却媒体流出口１０２との間に延びている。冷却媒体流入口１００は、冷却媒体流入口１００の中心線１０６が冷却媒体流出口１０２の中心線１０８と平行になるように、冷却媒体流出口１０２からオフセットしている。冷却媒体流入口１００は、オリフィス板１１０を備える。冷却媒体流入口１００は、炉心プレートアセンブリ５０の支持梁６０に隣接して配置される。
【００２８】
図７は、炉心プレートアセンブリ５０の上面概要図である。炉心プレートアセンブリ５０は、Ｆ−格子炉心構成５４で配列された複数の燃料バンドル支持体９８と、複数の十字形状の制御棒ガイドチューブ開口部６２を備える。４つの燃料バンドル支持体９８が、各燃料バンドル収容領域７４内に配置される。燃料バンドル支持体９８内での冷却媒体流入口１００及び冷却媒体流出口１０２が、オフセットした構成となっているため、各冷却媒体流入口１００は炉心プレート支持梁６０に隣接して配置され、従って冷却媒体流入口１００の障害物は存在しない。
【００２９】
図８は、本発明の別の実施形態による複数の燃料バンドル支持体１１４を備える炉心プレートアセンブリ１１２の上面概要図である。図９は燃料バンドル支持体１１４の拡大上面図であり、図１０は、線Ａ−Ａによる燃料バンドル支持体１１４の断面図である。上述の炉心プレートアセンブリ５０と同様に、炉心プレートアセンブリ１１２は、複数の支持梁１１８により支持された平板１１６、複数の制御棒ガイドチューブ開口部１２０及び複数の燃料バンドル収容領域１２２を備える。
【００３０】
各燃料バンドル１１４は、４つの燃料バンドル３６（図６を参照）を支持し、４つの冷却媒体流入口１２４及び４つの冷却媒体流出口１２６を備える。各燃料バンドル収容領域１２２は、１つの燃料バンドル支持体１１４を含む。
【００３１】
各冷却媒体流入口１２４は、対応する冷却媒体流出口１２６、及び冷却媒体流入口１２４から対応する冷却媒体流出口１２６に延びるボア１２８を有する。冷却媒体流入口１２４は、冷却媒体流入口１２４の中心線１３０が冷却媒体流出口１２８の中心線１３２と平行になるように、対応する冷却媒体流出口１２６からオフセットしている。オリフィス板１２４は、各冷却媒体流入口内に設置される。さらに、冷却媒体流入口１２４は、各冷却媒体流入口１２４が支持梁１１８から同じ距離になるように、燃料バンドル支持体１１４内に配置される。具体的には、冷却媒体流入口１２４からの距離「Ｂ」は、燃料バンドル支持体１１４内の全ての冷却媒体流入口１２４について同一である。
【００３２】
上述の、燃料バンドル支持体９８を有する炉心プレートアセンブリ５０及び燃料支持体１１４を有する炉心プレートアセンブリ１１２は、妨害されていない冷却媒体流入口を備え、従って、全ての燃料組立体３６について同一の流入条件をもたらす。
【００３３】
図１１は、本発明の別の実施形態による複数の燃料バンドル支持体１３８を備える炉心プレートアセンブリ１３６の上面概要図である。上述の炉心プレートアセンブリ１１２と同様に、炉心プレートアセンブリ１３６は、複数の支持梁１４２により支持された平板１４０、複数の制御棒ガイドチューブ開口部１４４、及び複数の燃料バンドル収容領域１４６を備える。各燃料バンドル収容領域１４６は、１つの燃料バンドル支持体１３８を含み、各燃料バンドル支持体は１つの大型燃料バンドル（図示せず）を支持するように構成されている。各大型燃料バンドルは、標準燃料バンドル３６のほぼ１．５倍の大きさである。
【００３４】
燃料支持体１３８は、冷却媒体流入口１４８及び冷却媒体流出口１５０を備える。冷却媒体流ボア（図示せず）は、冷却媒体流入口１４８と冷却媒体流出口１５０との間に延びる。冷却媒体流入口１４８は、冷却媒体流出口１５０からオフセットしている。冷却媒体流入口１４８は、炉心プレートアセンブリ１３６の支持梁１４２に隣接して配置される。
【００３５】
本発明を、種々の特定の実施形態により説明してきたが、本発明は、特許請求の範囲の技術思想及び技術的範囲内での変更形態で実施できることは、当業者には明らかであろう。
【図面の簡単な説明】
【図１】  沸騰水型原子炉圧力容器の部分破断断面図。
【図２】  図１に示す原子炉圧力容器のためのＦ−格子炉心構成の上面概要図。
【図３】  図２に示すＦ−格子炉心構成のための炉心プレートの上面概要図。
【図４】  図３に示す炉心プレートの概略断面図。
【図５】  燃料バンドル支持体の断面側面図。
【図６】  本発明の実施形態による燃料バンドル支持体の断面側面図。
【図７】  図６に示す燃料バンドル支持体を備える炉心プレートの上面概要図。
【図８】  本発明の別の実施形態による燃料バンドル支持体を備える炉心プレートの上面概要図。
【図９】  図８に示す燃料バンドル支持体の拡大上面図。
【図１０】  線Ａ−Ａによる横断面図。
【図１１】  本発明の別の実施形態による燃料バンドル支持体を備える炉心プレートの上面概要図。
【符号の説明】
３６  燃料バンドル
５０  炉心プレートアセンブリ
５８  平板
６０  支持梁
９４  下部タイプレート
９８  燃料バンドル支持体
１００  冷却媒体流入口
１０２  冷却媒体流出口
１０４  冷却媒体流ボア
１０６  冷却媒体流入口の中心線
１０８  冷却媒体流出口の中心線
１１０  オリフィス板
【図１】
0004027635.tif 000002
【図２】
0004027635.tif 000003
【図３】
0004027635.tif 000004
【図４】
0004027635.tif 000005
【図５】
0004027635.tif 000006
【図６】
0004027635.tif 000007
【図７】
0004027635.tif 000008
【図８】
0004027635.tif 000009
【図９】
0004027635.tif 000010
【図１０】
0004027635.tif 000011
【図１１】
0004027635.tif 000012